(57)【要約】【課題】マルチエミッタにおける個々のチップからの電子放出の評価を正確に実現させる。【解決手段】複数の電子放出サイトを有するマルチエミッタを負電位に保持し、前記マルチエミッタに対して一次線を入射させて得た２次的な電子を拡大結像させ、前記マルチエミッタの前記電子放出サイトの表面像を得る。次いで、前記マルチエミッタに対してバイアス電圧を印加して得た電子を拡大結像させ、前記マルチエミッタの前記電子放出サイトの前記表面像と重畳するようにして放出電子像を得る。次いで、前記電子放出サイトの前記表面像において、各電子放出サイトに対応する前記放出電子像の有無及び明るさの大小から、前記マルチエミッタにおける前記複数の電子放出サイトそれぞれの動作状態を評価する。【選択図】図４
2005093180.tif 000002
【特許請求の範囲】
【請求項１】
複数の電子放出サイトを有するマルチエミッタを負電位に保持する工程と、
前記マルチエミッタに対して一次線を入射させ、前記マルチエミッタから２次的な電子を放出させる工程と、
前記２次的な電子を拡大結像させ、前記マルチエミッタの前記電子放出サイトの表面像を得る工程と、
前記マルチエミッタに対してバイアス電圧を印加し、前記マルチエミッタの前記電子放出サイトから電子を放出させる工程と、
前記電子を拡大結像させ、前記マルチエミッタの前記電子放出サイトの前記表面像と重畳するようにして放出電子像を得る工程と、
を具え、
前記電子放出サイトの前記表面像において、各電子放出サイトに対応する前記放出電子像の有無及び明るさの大小から、前記マルチエミッタにおける前記複数の電子放出サイトそれぞれの動作状態を評価するようにしたことを特徴とする、マルチエミッタ評価方法。
【請求項２】
前記一次線は前記マルチエミッタに対し略垂直に入射させることを特徴とする、請求項１に記載のマルチエミッタ評価方法。
【請求項３】
前記一次線は電子線であることを特徴とする、請求項１又は２に記載のマルチエミッタ評価方法。
【請求項４】
前記一次線は紫外光又はＸ線であることを特徴とする、請求項１又は２に記載のマルチエミッタ評価方法。
【請求項５】
前記２次的な電子の拡大結像は磁場型レンズ及び／または静電レンズを用いて行うことを特徴とする、請求項１〜４のいずれか一に記載のマルチエミッタ評価方法。
【請求項６】
前記放出電子の拡大結像は磁場型レンズ及び／または静電レンズを用いて行うことを特徴とする、請求項１〜５のいずれか一に記載のマルチエミッタ評価方法。
【請求項７】
前記２次的な電子の拡大結像と前記放出電子の拡大結像とは同一の磁場型レンズ及び／または静電レンズを用いて行うことを特徴とする、請求項６に記載のマルチエミッタ評価方法。
【請求項８】
前記マルチエミッタの前記電子放出サイトの前記表面像及び前記放出電子像は、所定の投影手段上に結像させて得ることを特徴とする、請求項１〜７のいずれか一に記載のマルチエミッタ評価方法。
【請求項９】
前記投影手段は蛍光スクリーンを含むことを特徴とする、請求項８に記載のマルチエミッタ評価方法。
【請求項１０】
前記マルチエミッタの前記電子放出サイトの前記表面像及び前記放出電子像は、所定の撮像手段上に結像させて得ることを特徴とする、請求項１〜７のいずれか一に記載のマルチエミッタ評価方法。
【請求項１１】
前記撮像手段はＣＣＤカメラを含むことを特徴とする、請求項１０に記載のマルチエミッタ評価方法。
【請求項１２】
前記一次線を前記マルチエミッタへ向けて偏向させる工程を具えることを特徴とする、請求項１〜１１のいずれか一に記載のマルチエミッタ評価方法。
【請求項１３】
前記一次線が電子である場合の偏向は、ウイーンフィルタを用いて行うことを特徴とする、請求項１２に記載のマルチエミッタ評価方法。
【請求項１４】
複数の電子放出サイトを有するマルチエミッタと、
前記マルチエミッタを負電位に保持するための電圧印加手段と、
前記マルチエミッタに対して一次線を入射させ、前記マルチエミッタから２次的な電子を放出させるための一次線源と、
前記マルチエミッタに対してバイアス電圧を印加し、前記マルチエミッタの前記電子放出サイトから電子を放出させるためのバイアス電圧印加手段と、
前記２次的な電子及び前記放出電子を拡大結像させるためのレンズ系と、
前記２次的な電子を拡大結像させて得た、前記マルチエミッタの前記電子放出サイトの表面像、及び前記放出電子を拡大結像させて得た、前記マルチエミッタの前記電子放出サイトからの放出電子像を互いに重畳するようにして投影させるための投影手段と、
を具えることを特徴とする、マルチエミッタ評価装置。
【請求項１５】
前記投影手段は蛍光スクリーンを含むことを特徴とする、請求項１４に記載のマルチエミッタ評価装置。
【請求項１６】
複数の電子放出サイトを有するマルチエミッタと、
前記マルチエミッタを負電位に保持するための電圧印加手段と、
前記マルチエミッタに対して一次線を入射させ、前記マルチエミッタから２次的な電子を放出させるための一次線源と、
前記マルチエミッタに対してバイアス電圧を印加し、前記マルチエミッタの前記電子放出サイトから電子を放出させるためのバイアス電圧印加手段と、
前記２次的な電子及び前記放出電子を拡大結像させるためのレンズ系と、
前記２次的な電子を拡大結像させて得た、前記マルチエミッタの前記電子放出サイトの表面像、及び前記放出電子を拡大結像させて得た、前記マルチエミッタの前記電子放出サイトからの放出電子像を互いに重畳するようにして撮像させるための撮像手段と、
を具えることを特徴とする、マルチエミッタ評価装置
【請求項１７】
前記撮像手段はＣＣＤカメラを含むことを特徴とする、請求項１６に記載のマルチエミッタ評価装置。
【請求項１８】
前記一次線源は一次線として電子線を放出することを特徴とする、請求項１４〜１７のいずれか一に記載のマルチエミッタ評価装置。
【請求項１９】
前記一次線源は一次線として紫外光又はＸ線を放出することを特徴とする、請求項１４〜１７のいずれか一に記載のマルチエミッタ評価装置。
【請求項２０】
前記レンズ系は磁場型レンズ及び／または静電レンズを含むことを特徴とする、請求項１４〜１９のいずれか一に記載のマルチエミッタ評価装置。
【請求項２１】
前記一次線を前記マルチエミッタへ向けて偏向させる偏向手段を具えることを特徴とする、請求項１４〜２０のいずれか一に記載のマルチエミッタ評価装置。
【請求項２２】
前記偏向手段はウイーンフィルタを含むことを特徴とする、請求項２１に記載のマルチエミッタ評価装置。
【発明の詳細な説明】
【技術分野】
【０００１】
本発明は、電子を放出させるエミッタ、特に多数のエミッタから構成されるマルチエミッタの動作特性を評価するための方法及び装置に関する。
【背景技術】
【０００２】
マルチエミッタは、複数の電子放出チップないしは電子放出サイトを有するエミッタの集合体であり、ディスプレイ（フラット・パネル・ディスプレイ、壁掛けテレビなど）や各種電子線応用装置（電子顕微鏡、電子線描画装置など）の電子源として期待されているほか、高電流密度・大出力電流・高速動作を必要とする電子線デバイス（たとえば進行波管をはじめとする宇宙通信用超高周波管など）の電子源としても大きな期待が持たれている。
【０００３】
マルチエミッタは、複数の電子放出サイトを有するエミッタの集合体の総称であるが、その構造、動作原理により、いくつかの種類に分類される。たとえば、（１）電子放出体であるエミッタと、エミッタから電子を放出させるための電極で放出電子を通過させるための開口部を有するゲート電極、ならびにその両者を絶縁するための絶縁層とから構成される構造のもので、エミッタとそれに対向するゲート電極開口部をアレイ状に配置したものが多いところから一般にフィールド・エミッタ・アレイと呼ばれているもの、（２）電子放出体としてカーボンナノチューブを用いたもの、（３）基板金属（Ｍ）の上に薄膜絶縁層（Ｉ）と薄膜金属（Ｍ）を積層したＭＩＭ型構造と呼ばれているもの、（４）基板金属（Ｍ）の上に半導体（Ｓ）、薄膜絶縁層（Ｉ）、薄膜金属（Ｍ）を積層したＭＩＳ型構造と呼ばれているもの、（５）基板金属（Ｍ）の上にポリシリコン／ナノクリスタルシリコン混在層（ＮＰＳ層）と薄膜金属（Ｍ）を積層した構造のもので弾道電子面放出型電子源（ＢＳＤ）と呼ばれているもの、などがある。
【０００４】
図１はマルチエミッタの一例を示したものであり、上記（１）のフィールド・エミッタ・アレイに相当するものである。図１（ａ）はそのマルチエミツタの斜視図、図１（ｂ）は図１（ａ）のＡ−Ｂ断面図である。図１において、１はＳｉ基板であり、基板１上には複数のチップ（エミッタ）２が配列されている。さらに基板１上には、各チップ２の側面を囲むように電気絶縁層（ＳｉＯ２）３が形成されている。
【０００５】
そして、絶縁層３上には、前記チップ２から電子を放出させるためのゲート電極（引き出し電極）４が形成されている。このゲート電極４には、孔径０．５μｍ〜１μｍの電子線通過孔５が複数形成されており、各電子線通過孔５は各チップ２に対向している。
【０００６】
なお、図１（ａ）にはマルチエミッタの一部分を示したが、全体としては、図１に示すような２５個のチップを１ブロックにしたものが沢山配列されて１つのユニットになっている。たとえば、そのブロックが１２０個程配列されており、３０００個程度のチップが１つのマルチエミッタに含まれている。
【０００７】
上記の例では、エミッタからの放出電子はゲート電極開口部を通過することによって外部に取り出されるが、ＭＩＭ型構造やＢＳＤ型のマルチエミッタでは、電子通過用の開口部は存在しないかわりに、最上部の薄膜金属を電子が透過することにより電子が外部に取り出されることになる。
【０００８】
以上、図１のマルチエミッタの構造について説明したが、このようなマルチエミッタが実際に動作される場合には、すべてのチップ２（この例では３０００個程度）とゲート電極４間にバイアス電圧が印加されて、それぞれのチップ先端から電子が放出される。
【０００９】
ところで、作製されたマルチエミッタについては、その電子放出について評価が行われる。その評価方法の１つに、マルチエミツタを上記のように動作させ、チップ先端から放出される電子を検出して放出電流を測定し、バイアス電圧−放出電流特性や、放出電流値の経時変化特性（安定度、寿命）からマルチエミッタを評価する方法がある。
【００１０】
しかしながら、この方法で測定された放出電流は、多数のチップから放出された電子のトータルの電流であって、チップ１個１個からの放出電流量はわからない。マルチエミツタの場合、通常、すべてのエミッタから電子放出が行なわれているわけではなく、ある場合には、全体のうちの数１０％程度のエミッタしか動作していないことすらある。しかも、チップ１個１個からの放出電流量にはかなりのばらつきがあり、放出電流の安定性も個々のエミッタによってかなり異なる。
【００１１】
このような状況においては、全エミッタのうちどの程度の割合のエミッタが実際に動作しているのか、動作している個々のエミッタからの放出電流の安定性はどうか、もし不安定な場合にはその原因と安定化の見通しはどうか、あるいは動作していないエミッタがあるなら不動作の原因は何か、等について系統的に評価し、性能向上への指針を与えることが必要である。しかしながら、上述のマルチエミッタ全体からの放出電流を測定する方法では、マルチエミッタの全体的な評価はできるが、チップ１個１個の評価はできない。マルチエミッタの電子放出を安定化させるためには、マルチエミッタ全体の評価を行うことも必要であるが、個々のチップからの電子放出の評価がより重要となる。
【００１２】
そこで、個々のチップ先端で発生している現象を確認するための評価装置として、下記の非特許文献１及び２において２つの装置が提案されている。その１つ目の装置を図２に示す。この図２の装置では、マルチエミッタと蛍光スクリーンとの間に３段の静電レンズが配置されており、マルチエミッタの各チップから放出された電子線は３段の静電レンズによって拡大結像され、各チップの放出電子像（エミッションパターン）が蛍光スクリーン上に投影される。図２の下段には、その蛍光スクリーンに投影された放出電子像が示されている。
【００１３】
また、下記の非特許文献２で提案されている２つ日の評価装置を図３に示す。この図３の装置は光電子放出顕微鏡（ＰＥＥＭ）であり、マルチエミッタと蛍光スクリーンとの間に４段のアインツェル式静電レンズが配置されている。このＰＥＥＭでは、マルチエミッタに対して紫外光が照射され、その照射によって主としてゲート電極表面から放出された光電子は静電レンズ系によって拡大結像され、マルチエミッタのゲート電極表面のＰＥＥＭ像が蛍光スクリーン上に投影される。
【００１４】
そして、図３のＰＥＥＭでは、前記紫外光の照射が停止された後にマルチ工ミッタが動作され、マルチエミッタの各チップから放出された電子線は静電レンズ系によって拡大結像される。この際、各チップの放出電子線が蛍光スクリーン上に結像するように、静電レンズ系に与えられる電圧が調整される。すなわち、静電レンズ系に与えられる電圧は、ＰＥＥＭ像取得時の電圧から変更される。
【００１５】
このように、図２または図３の評価装置を用いれば、図２の下段に示したような各チップの放出電子像を蛍光スクリーン上で観察することができる。
【非特許文献１】「高輝度電子源アレイと真空マイクロエレクトロニクスの展開」
【非特許文献２】「平成１３年度公開シンポジウム」予稿集ｐ．１９−ｐ．２４、“放射顕微鏡を用いたＦＥＡの動作観察”  しかしながら、この放出電子像はあたかも夜空の星のように見えるだけであって、個々のチップの電子放出の評価には利用できない。すなわち、この放出電子像上ではゲート電極の形状が観察できないため、たとえば、２５個のチップのうちどの位置のチップから電子が放出していて、どの位置のチップから電子が放出していないか、あるいは２５個のチップのうちどの位置のチップから最も電子が放出されているかなどを確認することはできない。
【発明の開示】
【発明が解決しようとする課題】
【００１６】
本発明は、上述した従来技術の問題点に鑑み、マルチエミッタにおける個々のチップからの電子放出の評価を正確に実現させることを目的とする。具体的には、
（１）マルチエミッタ全体からの、あるいは個々のエミッタからの放出電子像のダイナミカルな挙動の観察・記録が可能なこと、
（２）マルチエミッタの個々のエミッタ形状および個々のゲート電極（引出し電極）開孔形状の観察が可能なこと、
（３）上記（１）と（２）の同時観察が可能であること、及びこれにより両者の対応付けが可能であること、
（４）マルチエミッタからの電子放出特性、特に放出電流の安定性の測定が可能であること、即ち、個々のエミッタあるいはマルチエミッタ全体からの放出電流の安定性の測定が可能なこと、
などを実現することを目的とする。
【課題を解決するための手段】
【００１７】
上記目的を達成すべく、本発明は、
複数の電子放出サイトを有するマルチエミッタを負電位に保持する工程と、
前記マルチエミッタに対して一次線を入射させ、前記マルチエミッタから２次的な電子（例えば、一次線が電子の場合の「反射電子」や「２次電子」など、或いは、一次線が紫外線やＸ線などの場合に放出される「光電子」など）を放出させる工程と、
前記２次的な電子を拡大結像させ、前記マルチエミッタの前記電子放出サイトの表面像（個々のエミッタ形状のみならず、個々のゲート電極（引出し電極）開孔形状をも含む像）を得る工程と、
前記マルチエミッタに対してバイアス電圧を印加し、前記マルチエミッタの前記電子放出サイトから電子を放出させる工程と、
前記電子放出サイトから放出された電子（放出電子）を拡大結像させ、前記マルチエミッタの前記電子放出サイトの前記表面像と重畳するようにして放出電子像を得る工程と、
を具え、
前記電子放出サイトの前記表面像において、各電子放出サイトに対応する前記放出電子像の有無及び明るさの大小から、前記マルチエミッタにおける前記複数の電子放出サイトそれぞれの動作状態を評価するようにしたことを特徴とする、マルチエミッタ評価方法に関する。
【００１８】
本発明によれば、マルチエミッタの電子放出サイトの表面像に重畳するようにして、前記電子放出サイトからの放出電子像を得るようにしており、この結果、前記表面像及び前記放出電子像を所定の投影手段上に同時に投影する、あるいは所定の撮像手段によって同時に撮像することによって、投影画像上あるいは撮像画像上において、各電子放出サイト、すなわち個々のチップの動作状態が前記放出電子像の有無及び明るさの大小から評価できるようになる。したがって、上述した本発明の方法によれば、個々のチップからの電子放出の評価を正確に実現させることができるようになる。
【００１９】
また、本発明は、上記評価方法を実現するための評価装置にも関し、以下の「発明を実施するための最良の形態」において詳述する。
【発明を実施するための最良の形態】
【００２０】
以下、本発明を発明の実施の形態に基づいて詳細に説明する。
図４は本発明のマルチエミッタ評価装置の一例を示した図である。図４において、６は電子銃（一次線源）であり、１０ｋＶ程度に加速された電子線（一次線）が電子銃６から放出される。そして、この一次電子線はウィーンフィルタ７に入射する。
【００２１】
ウィーンフィルタ７は、一次電子線の行路と、試料ステージ８上のマルチエミッタ９からの電子線の行路とを分離するためのものであり、Ｅ×Ｂ型エネルギーフィルタとして構成されている。そして、その電場ベクトルと磁場ベクトルは、前記一次電子線がマルチエミッタ９に垂直に入射し、且つマルチエミッタ９からの電子線に対してはウィーン条件を満足するように設定されている。このことにより、前記一次電子線はウィーンフィルタ７によって大きく偏向されマルチエミッタ９に向けて垂直に入射し、マルチエミッタ９から発生した電子線はウィーンフィルタ７では何の偏向作用も受けずに直進する。
【００２２】
なお、マルチエミッタ９の構造は図１に示したマルチエミッタと同じであり、図４においても図１と同様に１は基板、２はチップ（電子放出部材）、３は絶縁層、４はゲート電極、５は電子線通過孔（電子線通過部）である。
【００２３】
また、図４において１０は高電圧電源であり、高電圧電源１０はゲート電極４と基板１とに負の高電位を与えるためのものであり、基板１上に設けられたチップ２の電位は基板１と同じ電位に保たれる。たとえば、ゲート電極４とチップ２とには、高電圧電源１０によって−９．９ｋＶ程度の電位が与えられている。
【００２４】
一方、１１はバイアス電圧電源である。高電圧電源１０上に電気的にのっているバイアス電圧電源１１は、チップ２から電子を引き出すために、チップ２とゲート電極４間にバイアス電圧を印加するためのものである。
【００２５】
また、１２は磁界レンズであり、主として結像レンズとして機能する磁界レンズ１２は、ウィーンフィルタ７とマルチエミッタ９の間に配置されている。この磁界レンズ１２のマルチエミッタに面する磁極の端部には、電気絶縁体１３を介して、非磁性材料からなる静電レンズ１４が取り付けられている。このように、磁界レンズ１２と静電レンズ１４を、電気絶縁体１３を用いて一体構造にすることで、装置組み立て時の精度がでるようになっている。
【００２６】
静電レンズ１４には、静電レンズ電源１５によって例えば−５ｋＶ程度の電位が与えられている。
【００２７】
さらに、１６は蛍光スクリーン（像観察投影手段）であり、この蛍光スクリーン１６とウィーンフィルタ７の間には３段の磁界レンズ１７、１８、１９が配置されている。これら磁界レンズ１７〜１９と磁界レンズ１２によって本発明の磁界型レンズ系が構成されている。
【００２８】
なお、図４には示されていないが、図４における電子線通路は排気装置によって排気されており、マルチエミッタ９の周囲は超高真空に排気されている。
【００２９】
次に図４に示すマルチエミッタ評価装置を用いたマルチエミッタの評価方法について説明する。
【００３０】
電子銃６からの１０ｋＶ程度に加速された一次電子線は、ウィーンフィルタ７によって大きく偏向され、磁界レンズ１２および静電レンズ１４を通過してマルチエミッタ９に垂直に入射する。この際、前記一次電子線は、上述したような負の電位にあるマルチエミッタ９によって減速され、最終的に１００Ｖ程度の加速電圧でゲート電極４表面に入射する。
【００３１】
前記一次電子線照射によって、ゲート電極４表面からは反射電子や２次電子（本実施態様では、一次線に電子を使用してるため、以下、これらの２次的な電子を総称して「２次電子」と呼ぶ。）が放出される。この放出された２次電子線ＥＢ（ｇ）は静電レンズ１４によって上方（蛍光スクリーンの方向）に加速され、さらに接地電位の磁界レンズ１２によって加速される。また、２次電子線ＥＢ（ｇ）は、磁界レンズ１２と静電レンズ１４によって結像されて、ゲート電極４表面の２次電子像が光軸Ｏ上の点Ｐに結像される。この点Ｐは前記ウィーンフィルタ７の中央付近に位置しており、像分解能を向上させる目的でこの位置に２次電子像が結像される。
【００３２】
その後、この結像されたゲート電極４の表面像は、後段に配置された３段の磁界レンズ１７、１８、１９によって拡大結像され、１０、０００倍程度の高倍率に拡大されたゲート電極表面像が蛍光スクリーン１６上に投影される。なお、ゲート電極４表面から放出された２次電子線ＥＢ（ｇ）が蛍光スクリーン１６上に結像するように、各磁界レンズのコイルに流れる電流が調整されている。
【００３３】
図５（ａ）は、蛍光スクリーン１６上に投影されたゲート電極表面像を示したものであり、この像から、マルチエミッタにおけるゲート電極の形状を観察することができる。また、添付の図面においては図面の解像度と作図の便宜上、黒く塗りつぶしてあるが、実際の像中には、各チップの先端部分が電子通過孔の中央部分にかすかに見えているを確認することができる。
【００３４】
さて、図４の評価装置では、上述したようにゲート電極表面像が蛍光スクリーン１６上に投影されている状態で、チップ２とゲート電極４間にバイアス電圧が印加される。このバイアス電圧の調整は像観察者によって行われ、像観察者は、たとえば５０Ｖ程度のバイアス電圧がチップ２とゲート電極４間に印加されるように、バイアス電圧電源１１の電圧値を調整する。
【００３５】
このバイアス電圧の印加によって、ゲート電極４の電位はチップ２よりも５０Ｖ程度高くなり（ゲート電極４の電位は−９．８５ｋＶ程度となる）、チップ２先端から電子が放出される。この放出された電子のうち、電子線通過孔５を通過した放出電子線ＥＢ（ｔ）は、前記静電レンズ１４によって上方（蛍光スクリーンの方向）に加速され、さらに磁界レンズ１２によって加速される。
【００３６】
また、チップ２から放出された放出電子線ＥＢ（ｔ）は、磁界レンズ１２と静電レンズ１４によって結像される。このときの磁界レンズ１２と静電レンズ１４のレンズ強度は、上述したゲート電極表面像取得時のままである。この際、チップ２から放出された放出電子のエネルギーＥｔは、一次電子線照射によってゲート電極４表面から放出された前記２次電子のエネルギーＥｇとはわずかに異なるが、チップ２から放出された放出電子線ＥＢ（ｔ）とゲート電極４表面から放出された２次電子線ＥＢ（ｇ）は、結像点Ｐとほぼ同じ位置に結像される。
【００３７】
すなわち、放出電子線ＥＢ（ｔ）と２次電子線ＥＢ（ｇ）との結像点のずれは、前記放出電子のエネルギーＥｔと前記２次電子のエネルギーＥｇの比（Ｅｔ／Ｅｇ）に対応しており、その比が１に近い程それら結像点のずれは小さくなる。この場合、前記放出電子のエネルギーＥｔはチップ２の電位にほぼ対応する−９．９ｋＶ、一方、前記２次電子のエネルギーＥｇはゲート電極４の電位にほぼ対応する−９．８５ｋＶとみることができ、それらの比（Ｅｔ／Ｅｇ）は近似的に１とみなすことができる。このため、上述したように、チップ２から放出された放出電子線ＥＢ（ｔ）とゲート電極４表面から放出された２次電子線ＥＢ（ｇ）とは、結像点Ｐとほぼ同じ位置に結像される。
【００３８】
その後、この結像点Ｐに結像されたチップ２の放出電子像は、後段に配置された３段の磁界レンズ１７〜１９によってさらに拡大され、その拡大された放出電子像は蛍光スクリーン１６上にゲート電極表面像に重畳するようにして投影される。このときの磁界レンズ１７〜１９のレンズ強度は、上述したゲート電極表面像取得時のままであるが、放出電子線ＥＢ（ｔ）は２次電子線ＥＢ（ｇ）とほぼ同じように蛍光スクリーン１６上に結像される。
【００３９】
図５（ｂ）は、蛍光スクリーン１６上に同時に投影された前記ゲート電極表面像と前記放出電子像を示したものである。この図５（ｂ）の像上において放出電子像は、ゲート電極の電子線通過孔中に明るく光るスポットとして表されている。その各スポットの明るさは各チップの放出電子量に対応しており、前記バイアス電圧を一定にしておいてもその明るさは変化する場合がある。この変化を観察することによって、各チップの電子放出の不安定さを知ることができる。
【００４０】
図５（ｂ）において、前記放出電子像に起因したスポットの有無、及びスポットの明るさなどから、２５個のチップのうち、右側縦３列のチップからの放出電子量が多いことが確認でき、また、左端１列のチップからは電子がほとんど放出されていないことが確認できる。また、図中の右側縦３列のチップを参照されたいが、スポット中央の白い円（放出電子の像）を囲むドーナツ状の黒い円は、電極（ゲート電極およびその開孔部など）の形状を表すものである。即ち、本願発明による装置などでは、マルチエミッタを構成する電極（例えば、引き出し電極やゲート電極など）およびその開孔部の形状をも観察することが可能である。
【００４１】
なお、この像観察中に、像観察者は前記バイアス電圧を任意に変更することにより、電子放出されるチップの数や前記スポットの輝度が変化する様子を観察することができる。また、試料ステージ８を水平方向に移動させて所望の部分を蛍光スクリーン中央に位置させ、磁界レンズ１７〜１９の励磁を変化させて像倍率を上げれば、所望部分の高倍像を観察することができる。
【００４２】
以上、図４のマルチエミッタ評価装置について説明したが、この評価装置は、拡大結像レンズとして収差特性の良い磁界レンズを備えているため、歪みのないマルチエミッタの表面像と各チップの放出電子像を得ることができる。そして、この評価装置では、そのマルチエミッタの表面像と各チップの放出電子像とが同時に観察できるので、個々のチップからの電子放出の評価を従来よりも正確に行うことができる。このような特徴を備えたマルチエミッタ評価装置は、従来の技術では決して得られなかったものである。
【００４３】
以上、具体例を挙げながら発明の実施の形態に基づいて本発明を詳細に説明してきたが、本発明は上記内容に限定されるものではなく、本発明の範疇を逸脱しない限りにおいてあらゆる変形や変更が可能である。
【００４４】
たとえば、上記例では、ゲート電極４表面及び各チップ２からの電子線を集束させるためのレンズとして、収差の小さい磁界レンズ１２が用いられているが、もし低倍率での像観察を行うのであれば、磁界レンズ１２を静電型のレンズとしてもよい。
【００４５】
また、図４におけるバイアス電圧電源１１と高電圧電源１０の接続を、図６に示すように変更してもよい。この場合、たとえば−９．９ｋＶ程度の電位がゲート電極４に与えられ、また、たとえば５０Ｖ程度のバイアス電圧がチップ２とゲート電極４間に印加される。
【００４６】
また、上記例では、チップ２及びゲート電極４から放出された電子を加速させるために、チップ２及びゲート電極４には負の高電位が与えられている。もし、結像に用いられる前記磁界レンズの全てに対して正の高電位を与えることができれば、図４の高電圧電源１０を省略して、チップ２及びゲート電極４の電位を接地電位にするようにしてもよい。
【００４７】
また、上記例では、蛍光スクリーン１６上で像を観察するようにしたが、蛍光スクリーンに投影された像をＴＶカメラで撮像してＣＲＴ画面上で像観察を行うようにしてもよい。また、蛍光スクリーン１６に代えてＴＶカメラを直接配置するようにしてもよい。このときのＴＶカメラは、ＣＣＤの表面に蛍光体などの発光層が設けられたカメラヘッドを有しており、そのＴＶカメラで撮像された像をＣＲＴ画面上に表示させたり、ビデオに録画するようにしてもよい。
【００４８】
また、図４の装置において、磁界レンズ１７と磁界レンズ１８の中間に視野制限のための絞りを配置すれば、１個１個のチップからの放出電子線を選別して蛍光スクリーン１６上に投影できる。そして、蛍光スクリーン１６に電流計を接続すれば、個々のチップからの放出電流を独立に測定することができ、個々のチップの評価を行うことができる。
【００４９】
また、上記図４の例では、磁界レンズ１２の先端に静電レンズ１４を配置しているが、静電レンズ１４は省略してもよい。但し、マルチエミッタ９の直上に接地電位の磁界レンズ１２を配置するよりも、−５ｋＶ程度の電位の静電レンズ１４を図４のように配置する方が、絶縁層を有するマルチエミッタ９のチャージアップやチップの損傷を防止することができる。
【００５０】
また、本発明で評価されるエミッタの構造は図１のマルチエミッタに限定されるものではなく、本発明は種々の構造のエミッタを評価するためのものである。たとえば、基板上に複数のカーボンナノチューブ（電子放出部材）を設け、そのカーボンナノチューブから電子を放出させる陽極を備えたエミッタに対しても、本発明を用いればその評価を正確に行うことができる。
【００５１】
また、ナノクリスタルシリコン（電子放出部材）を２枚の電極でサンドした構造のＢＳＤ型エミッタやＭＩＭ型エミッタあるいはＭＩＳ型エミッタに対しても、本発明を用いればその評価を行うことができる。この場合、電極への電圧印加によって発生した電子は、その電極（薄膜陽極）を透過（トンネル）してその外部へ放出される。
【００５２】
また、上記例では、一次線として電子線を用いたが、前記電子線の代わりに紫外光やX線などをマルチエミッタ９に照射するようにしてもよい。その場合、ウィーンフィルタ７は不要となる。
【００５３】
なお、上記例におけるチップ印加電位やバイアス電圧などは上記例に限定されるものではなく、目的に応じて任意に設定するようにすればよい。
【産業上の利用分野】
【００５４】
本発明のマルチエミッタ評価方法及び評価装置は、ディスプレイ（フラットパネルディスプレイ、壁掛けテレビ）や各種電子線応用装置（電子顕微鏡、電子線描画装置など）に適用すすることができる。また、大電流密度、大出力電流及び高速動作を必要とする電子線デバイス（例えば進行波管を初めとする宇宙通信用超高周波管など）の電子源としても利用することができる。
【図面の簡単な説明】
【００５５】
【図１】マルチエミッタの構造を示した図である。
【図２】従来のマルチエミッタ評価装置を示した図である。
【図３】従来のマルチエミッタ評価装置を示した図である。
【図４】本発明のエミッタ評価装置の一例を示した図である。
【図５】図４の蛍光スクリーン上に投影される像を示した図である。
【図６】本発明の他の例を示した図である。
【符号の説明】
【００５６】
１  基板
２  チップ
３  電気絶縁層
４  ゲート電極
５  電子線通過孔
６  電子銃
７  ウィーンフィルタ
８  試料ステージ
９  マルチエミッタ
１０  高電圧電源
１１  バイアス電圧電源
１２、１７、１８、１９  磁界レンズ
１３  電気絶縁体
１４  静電レンズ
１５  静電レンズ電源
１６  蛍光スクリーン
【図１】
2005093180.tif 000003
【図２】
2005093180.tif 000004
【図３】
2005093180.tif 000005
【図４】
2005093180.tif 000006
【図５】
2005093180.tif 000007
【図６】
2005093180.tif 000008